(57)【特許請求の範囲】
【請求項１】
鋸身の長手方向の側縁面から立ち上がる複数の鋸歯を刃渡り部に備え、各鋸歯は鋸身の表側面と裏側面に対して交互に面一に立ち上がる縦刃付面一側面を備え、各縦刃付面一側面は、鋸の往動方向の前方にある前側辺を前縦刃とし、鋸の往動方向の後方にある後側辺を後縦刃として備え、且つ各鋸歯の先端部には、該先端部を斜めに切断してなる先端傾斜カット面を備えた手鋸であって、鋸の刃先ラインに対する各鋸歯の前記前縦刃の入射角度を、刃渡り部の往路始端側から往路終端側にかけて、徐々に大きくなるように構成し、且つ鋸の刃先ラインに対する各鋸歯の後縦刃の入射角度を、刃渡り部の往路始端側から往路終端側にかけて、徐々に小さくなるように構成してあることを特徴とする手鋸。
【請求項２】
先端傾斜カット面には、前縦刃の先端と後縦刃の先端との間を接続するカット面後縦刃を構成し、鋸の刃先ラインに対する前記カット面後縦刃の入射角度を、刃渡り部の往路始端側から往路終端側にかけて、徐々に小さくなるように構成してあることを特徴とする請求項１に記載の手鋸。
【請求項３】
先端傾斜カット面には、前縦刃の先端から鋸身の厚み方向に延びるカット面前横刃と、後縦刃の先端から鋸身の厚み方向に延びるカット面後横刃とを構成し、前記縦刃付面一側面に対する前記カット面前横刃の開角度を、刃渡り部の往路始端側から往路終端側にかけて、徐々に大きくなるように構成してあることを特徴とする請求項１又は２に記載の手鋸。
【請求項４】
縦刃付面一側面に対するカット面後横刃の開角度を、刃渡り部の往路始端側から往路終端側にかけて、徐々に小さくなるように構成してあることを特徴とする請求項３に記載の手鋸。
【請求項５】
刃先ラインは、刃渡り部の往路始端側から往路終端側にかけて直線に構成してなる直線鋸であることを特徴とする請求項１〜４の何れかに記載の手鋸。
【請求項６】
各鋸歯のピッチを、刃渡り部の往路始端側から往路終端側にかけて、徐々に大きくなるように構成してあることを特徴とする請求項１〜５の何れかに記載の手鋸。
【請求項７】
手鋸は引き鋸とし、刃渡り部の往路始端側を鋸元側とすると共に刃渡り部の往路終端側を鋸先側としたことを特徴とする請求項１〜６の何れかに記載の手鋸。
【発明の詳細な説明】
【技術分野】
【０００１】
本発明は手鋸に関する。
【背景技術】
【０００２】
従来の一般的な手鋸は、その歯が等ピッチで配列されたものが多い。
例えば等ピッチの引き鋸を用いて木材等の被切断物を切る場合、刃渡り部の先端側では、刃渡り部の手元側に比べて被切断物に対する切断の押圧力が弱くなる傾向にある。
このためカーブソーと呼ばれる、鋸の刃渡り部が湾曲した鋸も数多く提供されている。鋸身が刃渡り部の先端側でカーブすることで、先端側でも被切断物に加わる押圧力が低下しないようにすることができる。
但しカーブソーの場合は、鋸の刃渡り部が湾曲するのが好まれない種類の鋸には適用できない問題がある。
このため手鋸に配列された歯のピッチを徐々に変更することで、被切断物に対する押圧力が低くなり易い先端側の歯ピッチを手元側よりも大きくした手鋸も提供されている（特開２００８−２３８４５号）。
【先行技術文献】
【特許文献】
【０００３】
【特許文献１】特開２００８−２３８４５号公報
【発明の概要】
【発明が解決しようとする課題】
【０００４】
上記特許文献１の鋸刃の場合、配列された複数の歯ピッチを刃渡り部の手前側から先端側へ徐々に大きくしたことで、刃渡り部の先端側での被切断物に対する切込み圧力の低下を防いで、先端側での切断力を維持することができる。しかし、その一方で刃渡り部の先端側では歯のピッチが大きくなるため、その分、歯の間隔が大きくなって、鋸が被切断物に引っ掛かり易くなる問題があった。【０００５】
そこで本発明は上記従来技術の問題点を解消し、切断作業中に、鋸歯が被切断物に容易に引っ掛かってしまうことなく、スムーズな切断作業を確保することができる手鋸の提供を課題とする。加えて、被切断物に対する鋸刃の切込み圧力を、刃渡り部の手前側から先端側の何れの位置においても十分に加えることができる、切れ味のよい手鋸の提供を課題とする。
【課題を解決するための手段】
【０００６】
上記課題を達成するため本発明の手鋸は、鋸身の長手方向の側縁面から立ち上がる複数の鋸歯を刃渡り部に備え、各鋸歯は鋸身の表側面と裏側面に対して交互に面一に立ち上がる縦刃付面一側面を備え、各縦刃付面一側面は、鋸の往動方向の前方にある前側辺を前縦刃とし、鋸の往動方向の後方にある後側辺を後縦刃として備え、且つ各鋸歯の先端部には、該先端部を斜めに切断してなる先端傾斜カット面を備えた手鋸であって、鋸の刃先ラインに対する各鋸歯の前記前縦刃の入射角度を、刃渡り部の往路始端側から往路終端側にかけて、徐々に大きくなるように構成し、且つ鋸の刃先ラインに対する各鋸歯の後縦刃の入射角度を、刃渡り部の往路始端側から往路終端側にかけて、徐々に小さくなるように構成してあることを第１の特徴としている。
また本発明の手鋸は、上記第１の特徴に加えて、先端傾斜カット面には、前縦刃の先端と後縦刃の先端との間を接続するカット面後縦刃を構成し、鋸の刃先ラインに対する前記カット面後縦刃の入射角度を、刃渡り部の往路始端側から往路終端側にかけて、徐々に小さくなるように構成してあることを第２の特徴としている。
また本発明の手鋸は、上記第１又は第２の特徴に加えて、先端傾斜カット面には、前縦刃の先端から鋸身の厚み方向に延びるカット面前横刃と、後縦刃の先端から鋸身の厚み方向に延びるカット面後横刃とを構成し、前記縦刃付面一側面に対する前記カット面前横刃の開角度を、刃渡り部の往路始端側から往路終端側にかけて、徐々に大きくなるように構成してあることを第３の特徴としている。
また本発明の手鋸は、上記第３の特徴に加えて、縦刃付面一側面に対するカット面後横刃の開角度を、刃渡り部の往路始端側から往路終端側にかけて、徐々に小さくなるように構成してあることを第４の特徴としている。
また本発明の手鋸は、上記第１〜第４の何れかの特徴に加えて、刃先ラインは、刃渡り部の往路始端側から往路終端側にかけて直線に構成してなる直線鋸であることを第５の特徴としている。
また本発明の手鋸は、上記第１〜第５の何れかの特徴に加えて、各鋸歯のピッチを、刃渡り部の往路始端側から往路終端側にかけて、徐々に大きくなるように構成してあることを第６の特徴としている。
また本発明の手鋸は、上記第１〜第６の何れかの特徴に加えて、手鋸は引き鋸とし、刃渡り部の往路始端側を鋸元側とすると共に刃渡り部の往路終端側を鋸先側としたことを第７の特徴としている。
【発明の効果】
【０００７】
請求項１に記載の手鋸によれば、鋸の刃先ラインに対する各鋸歯の前縦刃の入射角度を、刃渡り部の往路始端側から往路終端側にかけて、徐々に大きくなるように構成している。
鋸歯の前縦刃の入射角度が往路始端側で小さいので、往路での鋸の挽き始めにおいて、前縦刃が被切断物に引っ掛かって動かなくなる等の不都合を確実に軽減することができる。よってスムーズな挽き始めを確保することができる。そして一旦、鋸の挽き始めがスムーズにゆけば、慣性的にそのまま挽き終わりまで引っ掛かることなく動く場合が多いので、前縦刃の刃先ラインに対する入射角度を徐々に大きくしていくことで、前縦刃による被切断物に対する切込み圧力を徐々に増加してゆくことができ、その分一回の往路挽き作業でより深く切り込むことができる。
よって請求項１の手鋸によれば、スムーズは鋸挽き作業を確保することができると共に、被切断物に対する鋸刃の切込み圧力を十分に加えて、１回毎の鋸挽き作業で良好な切断量を得ることができる手鋸を提供することができる。【０００８】
加えて、請求項１に記載の手鋸によれば、鋸の刃先ラインに対する各鋸歯の後縦刃の入射角度を、刃渡り部の往路始端側から往路終端側にかけて、徐々に小さくなるように構成してある。
従って往路終端側である復路始端側では、復路での切込み刃となる後縦刃の入射角度が小さく抑えられる。よって復路での挽き始めにおいて、鋸刃が被切断物に容易に引っ掛かって停止してしまうのを予防し、復路でのスムーズな挽き始めを確保することができる。そして一旦、復路での鋸挽きがスムーズに開始されると、慣性的にそのまま挽き終わりまで引っ掛かることなく挽ける。勿論、復路終端側では後縦刃の入射角度が大きくなるので、復路挽きにおいても後縦刃による切込みも期待できる。
即ち、後縦刃の入射角度を往路始端側から往路終端側にかけて、徐々に大きくしていくことで、復路でのスムーズな鋸挽きと後縦刃による更なる切込みも期待できる。よって往路と復路の両方で、よりスムーズな鋸の切断作業と良好な切れ味を確保することができる。
【０００９】
また請求項２に記載の手鋸によれば、上記請求項１に記載の構成による作用効果に加えて、先端傾斜カット面には、前縦刃の先端と後縦刃の先端との間を接続するカット面後縦刃を構成し、鋸の刃先ラインに対する前記カット面後縦刃の入射角度を、刃渡り部の往路始端側から往路終端側にかけて、徐々に小さくなるように構成している。
カット面後縦刃は、後縦刃と共に復路での切込み刃となる。
カット面後縦刃の入射角度が往路終端側にかけて小さくなることは、復路始端側でのカット面後縦刃の入射角度が小さく抑えられることになる。
従って先端傾斜カット面を備えた手鋸において、復路での挽き始めに鋸刃が被切断物に引っ掛かって停止するのを良好に防いで、復路でのよりスムーズな挽き始めを確保することができる。そして一旦、鋸の挽き始めがスムーズにゆけば、慣性的にそのまま挽き終わりまで引っ掛かることなく動く場合が多いので、復路全体でのスムーズな挽き作業を確保することができる。勿論、復路の後半において、先端傾斜カット面のカット面後縦刃の入射角度が大きくなることで、復路でのカット面後縦刃による更なる切込みも期待できる。
よって請求項２の手鋸によれば、先端傾斜カット面を備えた手鋸において、往路と復路の両方で、一層スムーズな鋸の切断作業を確保することができると共に、被切断物に対する鋸刃の切込み圧力を十分適切に加えることができる。
【００１０】
また請求項３に記載の手鋸によれば、上記請求項１又２に記載の構成による作用効果に加えて、先端傾斜カット面には、前縦刃の先端から鋸身の厚み方向に延びるカット面前横刃と、後縦刃の先端から鋸身の厚み方向に延びるカット面後横刃とを構成し、前記縦刃付面一側面に対する前記カット面前横刃の開角度を、刃渡り部の往路始端側から往路終端側にかけて、徐々に大きくなるように構成してある。
前縦刃が往路挽きの際に被切断物を鋸歯の深さ方向である縦方向に切込む刃であるのに対して、カット面前横刃は往路挽きの際に被切断物を鋸身の厚み方向である横方向に削り取っていく刃である。
よってカット面前横刃の開角度を、刃渡り部の往路始端側から往路終端側にかけて、徐々に大きくなるように構成することで、往路の挽き始めの位置ではカット面前横刃の開角度が小さくなり、カット面前横刃による抵抗が少なくなる。即ち、往路挽きをスムーズに開始することができる。そして往路挽きがスムーズに開始された後は、カット面前横刃の開角度が徐々に大きくなることで、カット面前横刃による被切断物への削り取りの切込み力を徐々に高めていくことで、横方向での削り取り量をスムーズに増やしていくことができる。
【００１１】
また請求項４に記載の手鋸によれば、上記請求項３に記載の構成による作用効果に加えて、縦刃付面一側面に対するカット面後横刃の開角度を、刃渡り部の往路始端側から往路終端側にかけて、徐々に小さくなるように構成してある。
カット面後横刃は、復路挽きの際に被切断物の切溝から切粉を排出する機能を主として果たす。勿論、復路挽きにおいて、被切断物を鋸身の厚み方向である横方向に削り取っていく機能もある。
よってカット面後横刃の開角度を、刃渡り部の往路始端側から往路終端側にかけて、徐々に小さくなるように構成することで、復路の挽き始めの位置では、カット面後横刃の開角度が小さくなる。このため復路挽きの始めでのカット面後横刃による抵抗が少なくなり、復路挽きをスムーズに開始することができる。そして一旦、復路挽きがスムーズに開始された後は、カット面後横刃の開角度が徐々に大きくなることで、カット面後横刃による被切断物の切溝からの切粉の排出を効率よく行うことができる、勿論、復路挽きでの削り取り量の増加も期待できる。
【００１２】
また請求項５に記載の手鋸によれば、上記請求項１〜４の何れかに記載の構成による作用効果に加えて、刃先ラインは、刃渡り部の往路始端側から往路終端側にかけて直線に構成してなる直線鋸であるので、刃先が直線であるにもかかわらず、鋸挽きの際に被切断物に引っ掛かって停止することなく、且つ十分な切込み量で速やかに切断を行うことができる鋸を提供することができる。
【００１３】
また請求項６に記載の手鋸によれば、上記請求項１〜５の何れかに記載の構成による作用効果に加えて、各鋸歯のピッチを、刃渡り部の往路始端側から往路終端側にかけて、徐々に大きくなるように構成してある。
配列された複数の鋸歯のピッチを刃渡り部の往路始端側から往路終端側へ徐々に大きくすることで、刃渡り部の往路終端側での被切断物に対する切込み圧力の低下を防いで、先端側での切断力を維持することができる。しかし、その一方で往路終端側では歯のピッチが大きくなるため、その分、歯の間隔が大きくなって、鋸が被切断物に引っ掛かり易くなる。
このピッチ変更による、利点と欠点は、これを上記請求項１〜５において述べた前縦刃の入射角度、後縦刃の入射角度、カット面前横刃の開角度、カット面後横刃の開角度における増減調整と組み合わせることで、被切断物の性状に応じて、よりスムーズな鋸挽き作業と良好な切れ味を持つ手鋸を提供することができる。
【００１４】
また請求項７に記載の手鋸によれば、上記請求項１〜６の何れかに記載の構成による作用効果に加えて、手鋸は引き鋸とし、刃渡り部の往路始端側を鋸元側とすると共に刃渡り部の往路終端側を鋸先側とした。引き鋸は、鋸を手前に引く際に被切断物に切り込んでいく鋸である。
本請求項による手鋸によれば、引き鋸において、スムーズな鋸挽き作業と良好な切れ味を持ち、上記請求項１〜６の何れかに記載の構成による作用効果を有する手鋸を得ることができる。
【図面の簡単な説明】
【００１５】
【図１】本発明の実施形態に係る手鋸を示す正面図である。
【図２】本発明の実施形態に係る手鋸の要部を説明する図である。
【図３】本発明の実施形態に係る手鋸の鋸歯を示し、（Ａ）は部分拡大正面図、（Ｂ）は底面図である。
【図４】本発明の実施形態に係る手鋸の鋸歯の斜視図である。
【発明を実施するための形態】
【００１６】
以下の図面を参照して、本発明の実施形態に係る手鋸を説明する。
先ず図１を参照して、本発明の実施形態の１つである手鋸１は、グリップ部１０と鋸身２０とを備える。鋸身２０の刃渡り部２１に複数の鋸歯３０が備えられている。
ところで、図に示す手鋸１は折り畳み鋸としては表現されていないが、折り畳み鋸であってもよい。また図に示す手鋸１は鋸身２０の片側だけに鋸歯３０が備えられた刃渡り部２１がある片刃鋸であるが、これに限定されず、鋸身２０の両側に刃渡り部２１がある両刃鋸であってもよい。
【００１７】
本発明の実施形態の手鋸１は、片手鋸で且つ引き鋸として構成されている。
鋸には引き鋸と押し鋸とがある。
引き鋸は、鋸身を手前に引いて往動させる際に、主として被切断物に切り込んでいくタイプの鋸である。引き鋸の複動では鋸身が前方へ押される。
一方、押し鋸は、鋸身を前方へ押して往動させる際に、主として被切断物に切り込んでいくタイプの鋸である。押し鋸の複動では鋸身が手前に引かれる。
上記本実施形態の手鋸１は引き鋸であるが、押し鋸であってもよい。
【００１８】
図２〜図４も参照して、手鋸１の前記刃渡り部２１に備えられた複数の各鋸歯３０は、鋸身２０の長手方向の側縁面２０ｃから立ち上がるように構成している。
各鋸歯３０は、鋸身２０の表側面２０ａと裏側面２０ｂに対して交互に面一に立ち上る縦刃付面一側面３１を備えている。
縦刃付面一側面３１の一対の側辺３１ａ、３１ｂのうち、手鋸１の往動方向Ｄ１の前方にある前側辺３１ａを前縦刃ＶＥ１とし、往動方向Ｄ１の後方にある後側辺３１ｂを後縦刃ＶＥ２としている。
前記において、手鋸１が引き鋸の場合、往動方向Ｄ１は鋸を手前に引く方向となる。従って図１、図２を参照して、本実施形態に係る手鋸１は引き鋸であるので、刃渡り部２１の鋸元１ａ側が引き鋸の往動方向Ｄ１の前方となり、鋸先１ｂ側が引き鋸の往動方向Ｄ１の後方となる。別の言い方をすれば、引き鋸の場合は、刃渡り部２１の鋸元１ａ側が刃渡り部２１の往路始端側２１ａとなり、鋸先１ｂ側が刃渡り部２１の往路終端側２１ｂとなる。
一方、押し鋸の場合は、刃渡り部２１の鋸先１ｂ側が押し鋸の往動方向Ｄ２の前方となり、鋸元１ａ側が押し鋸の往動方向Ｄ２の後方となる。別の言い方をすれば、押し鋸の場合は、逆に刃渡り部２１の鋸先１ｂ側が往路の始端側となり、鋸元１ａ側が往路の終端側となる。
【００１９】
本実施形態に係る手鋸１においては、引き鋸として、鋸の刃先ラインＬに対する各鋸歯３０の前縦刃ＶＥ１の入射角度αを、刃渡り部２１の往路始端側２１ａから往路終端側２１ｂにかけて、徐々に大きくなるように構成してある。より具体的には、刃渡り部２１の往路始端側２１ａにある往路始端鋸歯３０ｓから往路終端側２１ｂにある往路終端鋸歯３０ｅにかけて、各鋸歯３０の前縦刃ＶＥ１の入射角度αが徐々に大きくなるように構成している。
勿論、押し鋸の場合は、鋸先１ｂ側が往路の始端側となり、鋸元１ａ側が往路の終端側となり、前縦刃ＶＥ１の入射角度αの変化の増加方向が、引き鋸の場合と逆になる。
引き鋸である本実施形態の手鋸１では、鋸歯３０の前縦刃ＶＥ１の入射角度αが往路始端側２１ａで小さいので、往路での鋸の挽き始めにおいて、前縦刃ＶＥ１が被切断物Ｗに引っ掛かって動かなくなる等の不都合を確実に軽減することができる。即ち、スムーズな挽き始めを確保することができる。そして一旦、鋸の挽き始めがスムーズにいけば、慣性的にそのまま挽き終わりまで被切断物Ｗに引っ掛かることなく動き易い。そして前縦刃ＶＥ１の刃先ラインＬに対する入射角度αが徐々に大きくなっていくことで、前縦刃ＶＥ１による被切断物Ｗに対する切込み圧力を徐々に増加していくことができ、一回毎の往路挽き作業においてより深く切込んで良好な切断量を得ることができる。
【００２０】
本実施形態に係る手鋸１においては、引き鋸として、鋸の刃先ラインＬに対する各鋸歯３０の後縦刃ＶＥ２の入射角度β１を、刃渡り部２１の往路始端側２１ａから往路終端側２１ｂにかけて、徐々に小さくなるように構成してある。より具体的には、刃渡り部２１の往路始端側２１ａにある往路始端鋸歯３０ｓから往路終端側２１ｂにある往路終端鋸歯３０ｅにかけて、各鋸歯３０の後縦刃ＶＥ２の入射角度β１が徐々に小さくなるように構成している。
従って刃渡り部２１の往路終端側２１ｂである復路始端側では、復路での切込み刃となる後縦刃ＶＥ２の入射角度β１が小さく抑えられる。よって復路での挽き始めにおいて、鋸刃が被切断物Ｗに容易に引っ掛かって停止してしまうのを予防し、復路でのスムーズな挽き始めを確保することができる。そして一旦、復路での鋸挽きがスムーズに開始されると、慣性的にそのまま挽き終わりまで引っ掛かることなく挽ける。勿論、刃渡り部２１の往路始端側２１ａである復路終端側では後縦刃ＶＥ２の入射角度β１が大きくなるので、復路挽きの後半には後縦刃ＶＥ２による切込みも期待できる。
よって後縦刃ＶＥ２の入射角度β１を往路始端側２１ａから往路終端側２１ｂにかけて、徐々に大きくしていくことで、復路でのスムーズな鋸挽きと後縦刃ＶＥ２による更なる切込みも期待できる。よって往路と復路の両方で、よりスムーズな鋸の切断作業と良好な切れ味を確保することができる。
なお後縦刃ＶＥ２は、前縦刃ＶＥ１が主たる切込み刃であるのに対し、一般には従たる縦刃と言える。
【００２１】
各鋸歯３０の先端部には、該先端部を斜めに切断してなる先端傾斜カット面４０を構成している。
先端傾斜カット面４０には、その先端傾斜カット面４０に属する３つの縁辺４０ａ、４０ｂ、４０ｃのうち、前記縦刃付面一側面３１の前記前縦刃ＶＥ１（前側辺３１ａ）の先端と前記後縦刃ＶＥ２（後側辺３１ｂ）の先端とを接続する縁辺４０ｂを、カット面後縦刃ＶＥ３としている。
カット面後縦刃ＶＥ３は、後縦刃ＶＥ２の先端から先を構成する後縦刃で、その先端が前縦刃ＶＥ１先端に接続して、正に刃先Ｔを構成する。
このカット面後縦刃ＶＥ３の刃先ラインＬに対する入射角度β２は、通常においては、各鋸歯３０において、前縦刃ＶＥ１の入射角度αよりも小さく、また後縦刃ＶＥ２の入射角度β１よりも小さくなるように構成される。
【００２２】
本発明においては、カット面後縦刃ＶＥ３の刃先ラインＬに対する入射角度β２を、刃渡り部２１の往路始端側２１ａから往路終端側２１ｂにかけて、徐々に小さくなるように構成している。
カット面後縦刃ＶＥ３は、後縦刃ＶＥ２と共に、復路での切込み刃となる。
カット面後縦刃ＶＥ３の入射角度β２が往路終端側２１ｂに向けて小さくなることは、即ち、復路始端側（２１ｂ）でのカット面後縦刃ＶＥ３の入射角度β２が小さく抑えられることになる。
よって先端傾斜カット面４０を備えた手鋸１において、復路での挽き始めにカット面後縦刃ＶＥ３が被切断物Ｗに引っ掛かって停止するのを少なくし、復路でのよりスムーズな挽き始めを確保することができる。そして一旦、復路での挽き始めがスムーズにいけば、慣性的にそのまま復路の挽き終わりまで引っ掛かることなく動く場合が多い。即ち、復路全体でのスムーズな鋸挽き作業を確保することができる。勿論、復路の後半において、先端傾斜カット面４０のカット面後縦刃ＶＥ３の入射角度β２が大きくなることで、復路でのカット面後縦刃ＶＥ３による更なる切込みも期待でき、スムーズな鋸の切断動作と切れ味とを得ることができる。
【００２３】
先端傾斜カット面４０に属する３つの縁辺４０ａ、４０ｂ、４０ｃのうち、前記前縦刃ＶＥ１（前側辺３１ａ）の先端から、前記縦刃付面一側面３１に属することなく、鋸身２０の厚み方向に延びる縁辺４０ａを、カット面前横刃ＨＥ１としている。
また先端傾斜カット面４０に属する３つの縁辺４０ａ、４０ｂ、４０ｃのうち、前記後縦刃ＶＥ２（前側辺３１ｂ）の先端から、前記縦刃付面一側面３１に属することなく、鋸身２０の厚み方向に延びる縁辺４０ｃを、カット面後横刃ＨＥ２としている。
前記縦刃ＶＥ１〜ＶＥ３が被切断物Ｗに対して深さ方向（縦方向）に切り込んでいく垂直方向刃であるのに対して、このカット面前横刃ＨＥ１、カット面後横刃ＨＥ２は、被切断物Ｗを、鋸身２０の厚み方向に斜め水平に削り取っていく水平方向刃、より詳しくは斜め水平方向刃ということができる。
前記カット面前横刃ＨＥ１は、鋸身２０が引き鋸の往動方向Ｄ１に挽かれる際に、被切断物Ｗの表面をノミで削るように、鋸身２０の厚み方向の刃幅をもって、被切断物Ｗを斜め水平方向に削り取る機能を果たす。
一方、カット面後横刃ＨＥ２は、鋸身２０が引き鋸の複動方向Ｄ２に挽かれる際に、被切断物Ｗを削り取るよりも、どちらかと言うと、切粉を被切断物Ｗの切溝から排出する機能を果たす。
カット面前横刃ＨＥ１の開角度θ１は先端傾斜カット面４０と前縦刃ＶＥ１の刃面を構成する側面３２との交差角度となる。この交差角度は９０度未満とする。カット面前横刃ＨＥ１と前記前縦刃ＶＥ１とは鋸歯３０の刃先Ｔで合流する。
【００２４】
本実施形態において、前記縦刃付面一側面３１に対する前記カット面前横刃ＨＥ１の開角度θ１を、刃渡り部２１の往路始端側２１ａから往路終端側２１ｂにかけて、徐々に大きくなるように構成してある。
前縦刃ＶＥ１が往路挽きの際に被切断物Ｗを鋸歯３０の深さ方向である縦方向に切り込む刃であるのに対して、カット面前横刃ＨＥ１は、往路挽きの際に被切断物Ｗを鋸身２０の厚み方向である横方向に削り取っていく刃である。
よってカット面前横刃ＨＥ１の開角度θ１を、刃渡り部２１の往路始端側２１ａから往路終端側２１ｂにかけて、徐々に大きくなるように構成することで、往路の挽き始めの位置ではカット面前横刃ＨＥ１の開角度θ１が小さくなり、カット面前横刃ＨＥ１に対する被切断物Ｗの抵抗が少なくなる。即ち、往路挽きをスムーズに開始することができる。そして往路挽きがスムーズに開始された後は、カット面前横刃ＨＥ１の開角度θ１が徐々に大きくなることで、カット面前横刃ＨＥ１による被切断物Ｗへの削り取りの圧力を徐々に高めていくことで、横方向（鋸身２０の厚み方向）での削り取り量をスムーズに増やしていくことができる。
【００２５】
また本実施形態において、前記縦刃付面一側面３１に対する前記カット面後横刃ＨＥ２の開角度θ２を、刃渡り部２１の往路始端側２１ａから往路終端側２１ｂにかけて、徐々に小さくなるように構成してある。
カット面後横刃ＨＥ２は、復路挽きの際に被切断物Ｗの切溝から切粉を排出する機能を主として果し、また勿論、被切断物Ｗを鋸身２０の厚み方向である横方向に削り取っていく機能も果たす。
カット面後横刃ＨＥ２の開角度θ２が、刃渡り部２１の往路始端側２１ａから往路終端側２１ｂにかけて、徐々に小さくなるようにすることで、復路の挽き始めの位置では、カット面後横刃ＨＥ２の開角度θ２が小さくなる。このため復路の挽き始めでのカット面後横刃ＨＥ２による抵抗が少なくなり、復路挽きをスムーズに開始することができる。そして一旦、復路挽きがスムーズに開始された後は、カット面後横刃ＨＥ２の開角度θ２が徐々に大きくなることで、カット面後横刃ＨＥ２による削り取りの圧力を徐々に高めていくことができ、被切断物Ｗの切溝からの切粉の排出をスムーズに行うことができる。また復路でのカット面後横刃ＨＥ２による削り取りも期待できる。
【００２６】
本実施形態では、先端傾斜カット面４０は三角形としている。先端傾斜カット面４０の３頂点４１のうち、頂点４１ａと頂点４１ｂは縦刃付面一側面３１にも属する。一方、頂点４１ｃは、縦刃付面一側面３１にも鋸身２０の表側面２０ａにも裏側面２０ｂにも属さず、鋸身２０の厚み内に存在している。
勿論、前記頂点４１ｃが縦刃付面一側面３１（鋸身２０の表側面２０ａ若しくは２０ｂ）とは反対となる鋸身２０の側面（２０ｂ若しくは２０ａ）に属するようにしてもよい。この場合は、先端傾斜カット面４０が鋸身２０の表側面２０ａから裏側面２０ｂに亘る三角形となる。このような表側面２０ａから裏側面２０ｂに亘る三角形の先端傾斜カット面４０も本発明の実施形態の先端傾斜カット面４０の１つである。
更に先端傾斜カット面４０は、そのカット面が鋸身２０の表側面２０ａに属する２頂点と裏側面２０ｂに属する２頂点とからなる台形をしている場合であってもよい。
【００２７】
鋸歯３０における先端傾斜カット面４０は、鋸歯３０毎に前記刃先Ｔを頂点として一定の傾斜角度で斜め下方にカットして構成している。
刃先Ｔを頂点とする先端傾斜カット面４０の傾斜角度は、鋸身２０の刃渡り部２１の往路始端側２１ａから往路終端側２１ｂにかけて徐々に変化してゆくように構成することができる。
また図示しないが、上記した先端傾斜カット面４０の傾斜方向とは全く逆の傾斜方向とした先端傾斜カット面をもつ鋸歯３０を、刃渡り部２１の所々に混入させるように構成することができる。
【００２８】
本実施形態では、鋸身２０の刃先ラインＬを、刃渡り部２１の往路始端側２１ａから往路終端側２１ｂにかけて直線に構成している。
刃先ラインＬを直線にすると、引き鋸の場合、鋸の先端側での鋸歯３０による被切断物Ｗへの切込み力が低下する悪傾向となる。しかし本発明のように、前縦刃ＶＥ１の入射角度αを刃渡り部２１の往路始端側２１ａから往路終端側２１ｂにかけて徐々に大きくなるよう構成しておくことで、前記鋸の先端側での悪傾向を解消することができる。従って刃先ラインＬがカーブした鋸にすることなく、使用用途の広い直線鋸で良好な切断力を誇るものを実現できる。勿論、本発明から刃先ラインＬがカーブした鋸を排除するものではない。刃先ラインＬがカーブした構成と、上記した本発明の各特徴をもつ構成とを組み合わせたものもまた、本発明の範囲内に入る。
【００２９】
本実施形態では、各鋸歯３０のピッチＰを、刃渡り部２１の往路開始端側２１ａから往路終端側２１ｂにかけて、徐々に大きくなるように構成している。
等ピッチの引き鋸を用いて木材等の被切断物Ｗを切る場合、引き鋸では鋸の先端側（往路終端側２１ｂ）での被切断物Ｗへの切込み力が弱くなる傾向にある。この切込み力の低下を防ぐために、ピッチＰを往路終端側２１ｂへ向けて大きくすると、往路終端側２１ｂで鋸歯３０間の隙間が大きくなり過ぎて、鋸が被切断物Ｗに引っ掛かり易くなる。
本発明の構成、即ち前縦刃ＶＥ１の入射角度αを刃渡り部２１の往路始端側２１ａから往路終端側２１ｂにかけて徐々に大きくなるようにした構成と、前記ピッチＰを徐々に大きくしていく構成とを組み合わせることで、引っ掛かりのないスムーズな鋸挽きと、被切断物Ｗに対する良好な切込み力による良好な切れ味との両方を確保することができる。即ち、往路終端側２１ｂでのピッチＰが大きくなり過ぎないようにピッチＰの増加具合を調整し、且つ一方で、前縦刃ＶＥ１の入射角αを往路終端側２１ｂに向けて適当な増加具合に調整することで、スムーズな鋸挽きと良好な切断能力をもつ手鋸１を実現できる。
【００３０】
上記においては、主として引き鋸の場合を例にして説明したが、本発明は押し鋸の場合を除外するものではない。
片手鋸の場合、引き鋸では、作業者がグリップ部１０を持って、グリップ部１０方向（鋸元１ａ方向）に引く（手前にひく）のが往動で、往動後に鋸先１ｂ方向に向けて押す（前方へ押す）のが復動である。
片手鋸の場合、引き鋸では、往路始端側２１ａ（復路終端側）は刃渡り部２１のグリップ部１０（鋸元１ａ）側（手前側）となり、往路終端側２１ｂ（復路始端側）は刃渡り部２１の鋸先１ｂ側（手先側）となる。
【産業上の利用可能性】
【００３１】
本発明の手鋸は、木材、プラスチック等の被切断物を手動で切断する手段とし、産業上の利用可能性がある。
【符号の説明】
【００３２】
１              手鋸
１ａ            鋸元
１ｂ            鋸先
１０            グリップ部
２０            鋸身
２０ａ          鋸身の表側面
２０ｂ          鋸身の裏側面
２０ｃ          鋸身の長手方向の側縁面
２１            刃渡り部
２１ａ          往路始端側
２１ｂ          往路終端側
３０            鋸歯
３０ｓ          往路始端鋸歯
３０ｅ          往路終端鋸歯
３１            縦刃付面一側面
３１ａ          前側辺
３１ｂ          後側辺
３２            側面
３３            側面
４０            先端傾斜カット面
４０ａ〜４０ｃ  縁辺
４１ａ〜４１ｃ  頂点
ＶＥ１          前縦刃
ＶＥ２          後縦刃
ＶＥ３          カット面後縦刃
ＨＥ１          カット面前横刃
ＨＥ２          カット面後横刃
α              前縦刃の入射角度
β１            後縦刃の入射角度
β２            カット面後縦刃の入射角度
θ１            カット面前横刃の開角度
θ２            カット面後横刃の開角度
Ｄ１            引き鋸の往路方向（押し鋸の復路方向）
Ｄ２            引き鋸の復路方向（押し鋸の往路方向）
Ｌ              刃先ライン
Ｐ              ピッチ
Ｔ              刃先
Ｗ              被切断物
【要約】
スムーズな切断作業を確保することができ、被切断物に対する鋸刃の切込み圧力を、刃渡り部の手前側から先端側の何れの位置においても十分に加えることができる、切れ味のよい手鋸の提供を課題とする。
鋸身の表側面と裏側面に対して交互に面一に立ち上がる鋸歯３０の縦刃付面一側面３１に、前縦刃ＶＥ１と後縦刃ＶＥ２とを備え、且つ各鋸歯３０の先端部に先端傾斜カット面４０を備えた手鋸であって、鋸の刃先ラインＬに対する各鋸歯３０の前縦刃ＶＥ１の入射角度αを、刃渡り部２１の往路始端側２１ａから往路終端側２１ｂにかけて徐々に大きくなるよう構成してある。【図１】
0006598281.tif 000002
【図２】
0006598281.tif 000003
【図３】
0006598281.tif 000004
【図４】
0006598281.tif 000005